(57)【要約】【課題】回折格子ホルダを用いることなく回折格子の設置が可能な光ピックアップ装置を低コストで提供できる。【解決手段】レーザダイオードから出射されたレーザ光を回折する回折格子と、前記回折格子を設置するための設置孔を有するハウジングと、を備え、前記設置孔には、前記レーザ光が入射する入口と、前記設置孔の一方の開口から挿入された前記回折格子で、前記レーザ光を回折して得られる０次光と１次回折光とが出射される出口と、前記０次光と前記１次回折光とが光ディスクの信号記録面に照射されたときの０次光スポットと１次回折光スポットとを結ぶ線と、前記０次光スポットが照射される前記光ディスクの信号トラックと、のなす角度が所定角度となるように、前記回折格子の一辺と当接して前記回折格子を前記角度方向に回動可能とする突起と、が設けられ、前記回折格子は、前記設置孔の他方の開口からの接着剤で、前記突起に対して固定される。【選択図】図１４
2014021998.tif 000002
【特許請求の範囲】
【請求項１】
レーザダイオードから出射されたレーザ光を回折する回折格子と、
前記回折格子を設置するための設置孔を有するハウジングと、を備え、
前記設置孔には、
前記レーザ光が入射する入口と、
前記設置孔の一方の開口から挿入された前記回折格子で、前記レーザ光を回折して得られる０次光と１次回折光とが出射される出口と、
前記０次光と前記１次回折光とが光ディスクの信号記録面に照射されたときの０次光スポットと１次回折光スポットとを結ぶ線と、前記０次光スポットが照射される前記光ディスクの信号トラックと、のなす角度が所定角度となるように、前記回折格子の一辺と当接して前記回折格子を前記角度方向に回動可能とする突起と、が設けられ、
前記回折格子は、前記設置孔の他方の開口からの接着剤で、前記突起に対して固定されること
を特徴とする光ピックアップ装置。
【請求項２】
前記設置孔には、
前記回折格子の回動範囲を規制するように前記回折格子に向かって延びる規制片、が更に設けられている
ことを特徴とする請求項１に記載の光ピックアップ装置。
【請求項３】
前記回折格子は、前記規制片に対して前記接着剤で固定される
ことを特徴とする請求項２に記載の光ピックアップ装置。
【請求項４】
前記回折格子の回動方向と交差する方向において前記回折格子と対向している前記設置孔の対向面は、前記回折格子を回動可能に挟持している
ことを特徴とする請求項１乃至３に記載の光ピックアップ装置。
【発明の詳細な説明】
【技術分野】
【０００１】
本発明は、光ピックアップ装置に関する。
【背景技術】
【０００２】
例えば、レーザダイオードから出射されたレーザ光を回折する回折格子を含んで構成される光ピックアップ装置が知られている（特許文献１）。
【先行技術文献】
【特許文献】
【０００３】
【特許文献１】特開２０１１−７０７７１号公報
【発明の概要】
【発明が解決しようとする課題】
【０００４】
例えば、特許文献１の光ピックアップ装置において、回折格子は、回折格子ホルダに収容された状態でハウジングに対して設置されている。このため、例えば、回折格子ホルダの厚み分だけ光ピックアップ装置の厚みが増したり、回折格子ホルダを設けることによって部品点数が増加した分だけ光ピックアップ装置の製造コストが上昇したりする虞がある。
【課題を解決するための手段】
【０００５】
前述した課題を解決する主たる本発明は、レーザダイオードから出射されたレーザ光を回折する回折格子と、前記回折格子を設置するための設置孔を有するハウジングと、を備え、前記設置孔には、前記レーザ光が入射する入口と、前記設置孔の一方の開口から挿入された前記回折格子で、前記レーザ光を回折して得られる０次光と１次回折光とが出射される出口と、前記０次光と前記１次回折光とが光ディスクの信号記録面に照射されたときの０次光スポットと１次回折光スポットとを結ぶ線と、前記０次光スポットが照射される前記光ディスクの信号トラックと、のなす角度が所定角度となるように、前記回折格子の一辺と当接して前記回折格子を前記角度方向に回動可能とする突起と、が設けられ、前記回折格子は、前記設置孔の他方の開口からの接着剤で、前記突起に対して固定されることを特徴とする光ピックアップ装置である。
【０００６】
本発明の他の特徴については、添付図面及び本明細書の記載により明らかとなる。
【発明の効果】
【０００７】
本発明によれば、回折格子ホルダを用いることなく回折格子の設置が可能な光ピックアップ装置を低コストで提供できる。
【図面の簡単な説明】
【０００８】
【図１】本発明の実施形態に係る光ピックアップ装置の光学系の構成を示す図である。
【図２】本発明の実施形態に係る光ピックアップ装置の光学系の一部の構成を示す図である。
【図３】本発明の実施形態に係る光ピックアップ装置を示す斜視図である。
【図４】本発明の実施形態に係る光ピックアップ装置を示す分解斜視図である。
【図５】本発明の実施形態におけるハウジングを示す斜視図である。
【図６】本発明の実施形態における、光学素子及び第１及び第２放熱板が固定された状態のハウジングを示す斜視図である。
【図７】本発明の実施形態におけるレーザ光源を示す斜視図である。
【図８】本発明の実施形態における、回路基板が固定された状態のハウジングを示す斜視図である。
【図９】本発明の実施形態における、光ディスク側から見た状態の回路基板とＦＰＣとを示す図である。
【図１０】本発明の実施形態における、光ディスク側とは反対側から見た状態の回路基板とＦＰＣとを示す図である。
【図１１】本発明の実施形態におけるカバーを示す斜視図である。
【図１２】本発明の実施形態における、光ディスクと対向する側とは反対側から見た状態の、光学素子が固定されたハウジングを示す斜視図である。
【図１３】本発明の実施形態における、ハウジングの一部を示す斜視図である。
【図１４】本発明の実施形態におけるハウジングと回折格子とを示す断面図である。
【図１５】本発明の実施形態における光ディスクに照射されているレーザ光と光ディスクの溝とを示す図である。
【図１６】本発明の実施形態における、第１及び第２放熱板と回路基板とを示す斜視図である。
【図１７】本発明の実施形態における、ケーブルが取り付けられた状態の光ピックアップ装置を示す斜視図である。
【発明を実施するための形態】
【０００９】
本明細書および添付図面の記載により、少なくとも以下の事項が明らかとなる。
【００１０】
＝＝＝光ピックアップ装置の光学系＝＝＝
以下、図１、図２を参照して、本実施形態における光ピックアップ装置の光学系について説明する。図１は、本実施形態に係る光ピックアップ装置の光学系の構成を示す図である。図２は、本実施形態に係る光ピックアップ装置の光学系の一部の構成を示す図である。
【００１１】
光ピックアップ装置１００は、回転する光ディスク５（図３）にレーザ光を照射し、光ディスク５で反射されるレーザ光の反射光を検出する装置である。光ピックアップ装置１００によって情報の記録又は再生が行われる光ディスク５は、ＤＶＤ（Ｄｉｇｉｔａｌ  Ｖｅｒｓａｔｉｌｅ  Ｄｉｓｃ）規格の光ディスク（以下、「第１光ディスク５Ａ」と称する）、ＣＤ（Ｃｏｍｐａｃｔ  Ｄｉｓｃ）規格の光ディスク（以下、「第２光ディスク５Ｂ」と称する）等である。光ピックアップ装置１００は、第１光ディスク５Ａ、第２光ディスク５Ｂに照射されるレーザ光の光路に沿った光学系を有する。
【００１２】
光ピックアップ装置１００の光学系は、ＤＶＤ規格及びＣＤ規格用の光学系であり、レーザ光源１１（レーザダイオード）、回折格子１２、光検出器１３、検出レンズ１４、ビームスプリッタ１５、１／４波長板１６、コリメータレンズ１７、立ち上げミラー１８、フロントモニタダイオード１９、対物レンズ６１１（図２）（以下、「光ピックアップ装置１００の光学素子」とも称する）から構成される。
【００１３】
レーザ光源１１は、第１光ディスク５Ａに照射する赤色波長帯（６４５ｎｍ〜６７５ｎｍ）のうち例えば６５５ｎｍの波長と、第２光ディスク５Ｂに照射する赤外波長帯（７６５ｎｍ〜８０５ｎｍ）のうち例えば７８５ｎｍの波長の、異なる２波長のレーザ光を選択的に出射する。レーザ光源１１は、例えば６５５ｎｍの波長のレーザ光を出射する第１レーザダイオード１１Ａと、例えば７８５ｎｍの波長のレーザ光を出射する第２レーザダイオード１１Ｂとを有する。
【００１４】
回折格子１２は、レーザ光源１１から出射されたレーザダイオードを回折する。回折格子１２は、レーザ光源１１が出射したレーザ光から、０次光、＋１次回折光、−１次回折光を生成する。
【００１５】
ビームスプリッタ１５は、例えば、Ｐ偏光のレーザ光を反射し、Ｓ偏光のレーザ光を透過する平板型のビームスプリッタである。ビームスプリッタ１５は、回折格子１２から入射するＰ偏光のレーザ光を１／４波長板１６の方向へ反射する。このとき、ビームスプリッタ１５は、レーザ光の強度を調整するために、レーザ光の一部をフロントモニタダイオード１９の方向に透過するものとする。尚、フロントモニタダイオード１９は、ビームスプリッタ１５から入射された一部のレーザ光の強度に基づいて、レーザ光の強度を調整するための光学部品である。又、１／４波長板１６から入射するレーザ光の反射光は、例えば、第１光ディスク５Ａ又は第２光ディスク５Ｂで反射してＳ偏光のレーザ光となっている。よって、ビームスプリッタ１５は、レーザ光の反射光を検出レンズ１４の方向へ透過する。
【００１６】
１／４波長板１６は、ビームスプリッタ１５から入射するレーザ光を、直線偏光から円偏光に変換する。又、１／４波長板１６は、コリメートレンズ１７から入射するレーザ光の反射光を、円偏光から直線偏光に変換する。  
コリメートレンズ１７は、１／４波長板１６から入射するレーザ光を平行光に変換する。
【００１７】
立ち上げミラー１８は、コリメートレンズ１７から入射するレーザ光を、第１光ディスク５Ａ又は第２光ディスク５Ｂの信号記録面に垂直な方向に反射する。又、立ち上げミラー１８は、対物レンズ６１１から入射するレーザ光の反射光を、コリメートレンズ１７の方向に反射する。
【００１８】
対物レンズ６１１は、立ち上げミラー１８から入射したレーザ光を、第１光ディスク５Ａ又は第２光ディスク５Ｂの信号記録面における信号記録層に集光する。
【００１９】
第１光ディスク５Ａ又は第２光ディスク５Ｂの信号記録層で反射したレーザ光の反射光は、対物レンズ６１１によって平行光に変換された後、立ち上げミラー１８、コリメートレンズ１７を介して１／４波長板１６に入射し、１／４波長板１６によって円偏光から直線偏光に変換される。直線偏光となったレーザ光の反射光は、ビームスプリッタ１５を介して検出レンズ１４に入射する。
【００２０】
検出レンズ１４は、ビームスプリッタ１５から入射されるレーザ光の反射光を、光検出器１３に集光させるとともに、レーザ光の反射光に非点収差を発生させてフォーカスエラー信号を生成する。尚、フォーカスエラー信号とは、例えば、レンズホルダ３００（図４）を対物レンズ６１１の光軸方向（図４のＺ軸）に変位させる際に用いられる信号である。  
光検出器１３は、検出レンズ１４から入射されるレーザ光の反射光を光電変換する。
【００２１】
＝＝＝光ピックアップ装置＝＝＝
以下、図３、図４を参照して、本実施形態に係る光ピックアップ装置について説明する。図３は、本実施形態に係る光ピックアップ装置を示す斜視図である。尚、光ディスク５を回転させるためのスピンドルモータ（不図示）の回転軸５０は、説明の便宜上、一点鎖線で示されている。光ディスク５は、一部が省略された状態で、点線で示されている。図４は、本実施形態に係る光ピックアップ装置を示す分解斜視図である。
【００２２】
本実施形態において、Ｚ軸は、光ディスク５を回転させるスピンドルモータの回転軸５０の長手方向（フォーカス方向、垂直方向）に沿う軸であり、光ピックアップ装置１００から光ディスク５（上側）へ向かう方向を＋Ｚ方向とし、光ディスク５から光ピックアップ装置１００（下側）へ向かう方向を−Ｚ方向とする。尚、第１光ディスク５Ａ、第２光ディスク５Ｂのうち、スピンドルモータによって回転される光ディスクを、説明の便宜上、光ディスク５と称する。Ｘ軸は、光ディスク５の径方向（トラッキング方向、ラジアル方向）に光ピックアップ装置１００が移動する方向に沿う軸であり、光ピックアップ装置１００が回転軸５０から離れる方向を＋Ｘ方向とし、光ピックアップ装置１００が回転軸５０に近づく方向を−Ｘ方向とする。Ｙ軸は、光ディスク５のタンジェンシャル方向に沿う軸であり、ハウジング２における一方の側面２１から他方の側面２２に向かう方向を＋Ｙ方向とし、ハウジング２における他方の側面２２から一方の側面２１に向かう方向を−Ｙ方向とする。
【００２３】
光ピックアップ装置１００（図４）は、ハウジング２、光ピックアップ装置１００の光学素子、アクチュエータ３、第１放熱板４１、第２放熱板４２、回路基板６、フレキシブルプリント基板（Ｆｌｅｘｉｂｌｅ  Ｐｒｉｎｔｅｄ  ｃｉｒｃｕｉｔ:ＦＰＣ）７、７００、カバー８を有する。
【００２４】
アクチュエータ３は、レンズホルダ３００をフォーカス方向及びトラッキング方向に変位させる装置である。回路基板６、ＦＰＣ７、７００は、光ピックアップ装置１００を制御するための基板である。第１放熱板４１は、レーザ光源１１で発生する熱を放散するための金属製の板である。第２放熱板４２は、ドライバＩＣ６１（図１０）で発生する熱を放散するための金属製の板である。カバー８は、ハウジング２を覆う金属製の蓋である。ハウジング２には、光ピックアップ装置１００の光学素子、及び、アクチュエータ３が載置される。
【００２５】
＝＝＝ハウジング＝＝＝
以下、図４、図５を参照して、本実施形態におけるハウジングについて説明する。図５は、本実施形態におけるハウジングを示す斜視図である。尚、光ディスク５を回転させるためのスピンドルモータの回転軸５０は、説明の便宜上、一点鎖線で示されている。
【００２６】
ハウジング２は、光ピックアップ装置１００の光学素子、アクチュエータ３が載置される例えば樹脂製のハウジングである。更に、ハウジング２には、第１放熱板４１、第２放熱板４２、回路基板６、ＦＰＣ７、７００、カバー８が取り付けられる。
【００２７】
ハウジング２は、タンジェンシャル方向（Ｙ軸方向）に延びた形状を呈する。トラッキング方向における回転軸５０に近い側（−Ｘ）の端部２３は、例えば、スピンドルモータ（不図示）を回避するように所定の曲率をもって抉られた形状を呈する。トラッキング方向において回転軸５０から遠い側（＋Ｘ）の端部２４のタンジェンシャル方向の幅は、例えば、ハウジング２の小型化のために、回転軸５０から離れるにつれて短くなっている。
【００２８】
ハウジング２は、窪み２３１乃至２３３、複数の突起２５１乃至２５３爪２６１乃至２６４、孔２６５、孔２８（設置孔）、溝２５５乃至２５８、軸受２１０、２２０、２２１、雌ネジ２５を有する。
【００２９】
窪み２３３内には、アクチュエータ３が載置される。窪み２３３は、トラッキング方向における回転軸５０から近い側（−Ｘ）、且つ、タンジェンシャル方向における側面２２側（＋Ｙ）に設けられる。
【００３０】
窪み２３２内には、第２放熱板４２が載置される。窪み２３２は、トラッキング方向において窪み２３３よりも回転軸５０から遠い側（＋Ｘ）に設けられる。窪み２３２は、タンジェンシャル方向に沿って延びた形状を呈する。タンジェンシャル方向における窪み２３２の一方側（−Ｙ）の深さは、窪み２３２の他方側（＋Ｙ）の深さよりも深くなっている。よって、窪み２３２は、窪み２３２の底が第２放熱板４２の下側（−Ｚ）の面に沿うような形状を呈することとなる。
【００３１】
窪み２３１内には、レーザ光源１１が載置される。尚、レーザ光源１１については、後述する。窪み２３１は、トラッキング方向において窪み２３３よりも回転軸５０から遠い側、且つ、タンジェンシャル方向において窪み２３２よりも−Ｙ側に設けられる。窪み２３１内の＋Ｘ側の底には、孔２５Ａが設けられる。孔２５Ａは、窪み２３１に載置されたレーザ光源１１の端子１１１乃至１１３を、光ディスク５と対向する側とは反対側（−Ｚ）に露出させるように形成される。
【００３２】
複数の突起２５１乃至２５３は、ハウジング２に対する回路基板６の位置決めを行うのに用いられる。突起２５３は、ハウジング２に対する第２放熱板４２の位置決めを行うのに用いられる。突起２５３は、ハウジング２に対して第２放熱板４２が固定されるときに、第２放熱板４２の孔４２１（図４）と対向する位置に設けられる。突起２５１乃至突起２５３は夫々、ハウジング２に対して回路基板６が固定されるときに、回路基板６の孔６５１乃至６５３（図１０）と対向する位置に設けられる。
【００３３】
溝２５５乃至２５８には、ハウジング２に対してレーザ光源１１が固定されるときに接着剤が塗布される。尚、ハウジング２に対するレーザ光源１１の固定については、後述する。溝２５５乃至２５８は、窪み２３１にレーザ光源１１が載置されたときに、レーザ光源１１の金属板１１４（図７）の四隅と対向する位置に形成される。
【００３４】
爪２６２は、ハウジング２に対して第１放熱板４１を固定するための部材である。爪２６２は、ハウジング２に対して第１放熱板４１が固定されるときに、第１放熱板４１の孔４１１と対向する位置に設けられる。爪２６２は、孔４１１に挿通されて第１放熱板４１と係合するような形状を呈する。
【００３５】
爪２６３、２６４は、ハウジング２に対して回路基板６を固定するための一対の部材である。爪２６３は、ハウジング２に対して回路基板６が固定されるときに、回路基板６の一方の端部（−Ｙ）と対向する壁体２１５に設けられる。爪２６４は、ハウジング２に対して回路基板６が固定されるときに、回路基板６の他方の端部（＋Ｙ）と対向する壁体２２５に設けられる。爪２６３は、壁体２１５の内側（＋Ｙ）の面と、爪２６３の＋Ｙ側の面との間のタンジェンシャル方向の距離が、上側（＋Ｚ）から下側（−Ｚ）に向かうにつれて長くなるような形状を呈する。つまり、爪２６３は、爪２６３の＋Ｙ側の面が＋Ｙ側且つ下側に向かって傾斜するような形状を呈する。爪２６４は、壁体２２５の内側（−Ｙ）の面と、爪２６４の−Ｙ側の面との間のタンジェンシャル方向の距離が、上側から下側に向かうにつれて長くなるような形状を呈する。つまり、爪２６４は、爪２６４の−Ｙ側の面が−Ｙ側且つ下側に向かって傾斜するような形状を呈する。例えば、ハウジング２に対して回路基板６が取り付けられるとき、回路基板６の一方側及び他方側の端部は夫々、爪２６３の＋Ｙ側の面、爪２６４の−Ｙ側の面に沿って、爪２６３、２６４の上側から爪２６３、２６４の下側に移動されることとなる。爪２６３、２６４は夫々、回路基板６の一方側及び他方側の端部が夫々爪２６３、２６４の下側に配置されたときに、回路基板６がフォーカス（Ｚ軸）方向においてハウジング２の底板における上面と爪２６３、２６４との間に挟まれるような位置に設けられているものとする。このとき、回路基板６のフォーカス方向の移動が規制されて、ハウジング２に対して固定されることとなる。
【００３６】
爪２６１、孔２６５はハウジング２に対してカバー８を固定するのに用いられる。爪２６１、孔２６５は夫々、ハウジング２に対してカバー８が固定されるときに、カバー８（図１１）の取付片８１、取付片８２と対向する位置に設けられる。爪２６１は、取付片８１の孔８１Ａに挿通されて取付片８１と係合するような形状を呈する。孔２６５の内部には、孔２６５内に挿入された取付片８２と係合するような係合部が形成される。更に、ハウジング２における、回転軸５０に近い側（−Ｘ）の端部２３には、爪２６１と同様な爪（以下、「端部２３の爪」と称する）が設けられる。端部２３の爪は、ハウジング２に対してカバー８が固定されるときに、カバー８の取付片８３と対向する位置に設けられる。端部２３の爪は、取付片８３の孔８３Ａに挿通されて取付片８３と係合するような形状を呈する。
【００３７】
孔２８は、回折格子１２を位置決めするための孔である。孔２８には、回折格子１２が挿入される。尚、孔２８については、後述する。
【００３８】
雌ネジ２５には、ハウジング２に対してカバー８を固定するための雄ネジ１０１（図４）がねじ入れられる。雌ネジ２５は、ハウジング２に対してカバー８が固定されるときに、カバー８の取付片８４の孔８４Ａと対向する位置に設けられる。
【００３９】
軸受２１０、２２０、２２１は、光ピックアップ装置１００をラジアル方向（Ｘ軸）に移動させるための一対のシャフト（不図示）を支持するための部材である。軸受２１０は、一方の側面２１に設けられる。軸受２１０には、シャフトを支持するためのＵ溝２１Ａが形成される。軸受２２０、２２１は、他方の側面２２に設けられる。軸受２２０、２２１には夫々、シャフトを支持するための孔２２Ａ、２２Ｂが形成される。
【００４０】
＝＝＝第１放熱板、第２放熱板＝＝＝
以下、図４、図６を参照して、本実施形態における第１放熱板、第２放熱板について説明する。図６は、本実施形態における、光学素子及び第１及び第２放熱板が固定された状態のハウジングを示す斜視図である。尚、光ディスク５を回転させるためのスピンドルモータの回転軸５０は、説明の便宜上、一点鎖線で示されている。
【００４１】
第１放熱板４１は、レーザ光源１１で発生する熱を放散するための金属板である。第１放熱板４１は、ハウジング２に対して第１放熱板４１が固定されたときに、窪み２３１（図５）を避けるように抉られた形状を呈する。第１放熱板４１（図４）の手前側（＋Ｘ）の端部４１２は、ハウジング２に対して第１放熱板４１が固定されたときにハウジング２の手前側（＋Ｘ）の縁に沿って下側（−Ｚ）に向かって折り曲げられた形状を呈する。端部４１２におけるハウジング２の爪２６２と対向する位置には、爪２６２が挿通される孔４１１が設けられる。孔４１１に対して爪２６２が挿通されて、爪２６２と第１放熱板４１とが係合することによって、ハウジング２に対して第１放熱板４１が固定されることとなる。
【００４２】
第２放熱板４２は、ドライバＩＣ６１で発生する熱を放散するための金属板である。第２放熱板４２は、ハウジング２の窪み２３２内に配設されるように、タンジェンシャル方向（Ｙ軸）に沿って延びた形状を呈する。第２放熱板４２は、窪み２３２内に配設されたときに、第２放熱板４２が窪み２３２の底に沿うに折り曲げられた形状を呈する。
【００４３】
第２放熱板４２には、孔４２１、４２２が設けられる。孔４２１、４２２は夫々、第２放熱板４２が窪み２３２内に配設されたときに、突起２５３、雌ネジ２５と対向する位置に設けられる。孔４２１に対して突起２５３が挿通されるように、第２放熱板４２を窪み２３２内に配設することによって、ハウジング２に対する第２放熱板４２の位置決めが行われることとなる。更に、孔４２２を介して雌ネジ２５に対して雄ネジ１０１をねじ入れることによって、ハウジング２に対して第２放熱板４２が固定されることとなる。
【００４４】
＝＝＝レーザ光源＝＝＝
以下、図７を参照して、本実施形態におけるレーザ光源について説明する。図７は、本実施形態におけるレーザ光源を示す斜視図である。
【００４５】
レーザ光源１１は、端子１１１乃至１１３、金属板１１４、壁体１１５、支持部材１１６、収容体１１７を有する。
【００４６】
収容体１１７には、第１レーザダイオード１１Ａと第２レーザダイオード１１Ｂとがレーザ光を−Ｘ方向に向かって出射できるように、収容される。収容体１１７は、取付部材（不図示）を介して、金属板１１４の一方（−Ｚ）の面に固定される。
【００４７】
金属板１１４は、収容体１１７が搭載される平板である。金属板１１４は、第１レーザダイオード１１Ａ及び第２レーザダイオード１１Ｂで発生する熱を放散するための放熱板としても機能する。
【００４８】
壁体１１５は、収容体１１７を保護するための絶縁性のフレームである。壁体１１５は、金属板１１４における収容体１１７が取り付けられている一方の面に設けられる。壁体１１５は、収容体１１７の周囲におけるレーザ光を出射される方向（−Ｘ）の一部を除いて、収容体１１７の周囲を取り囲むように設けられる。
【００４９】
支持部材１１６は、壁体１１５が金属板１１４に固定されるように壁体１１５を支持する絶縁性の部材である。支持部材１１６は、壁体１１５の＋Ｘ側の端部から、金属板１１４の他方（＋Ｚ）の面まで連続的に形成される。支持部材１１６は、壁体１１５と一体的に形成される。レーザ光源１１の上側の一部は、支持部材１１６の厚み分だけ隆起することとなる。尚、支持部材１１６及び壁体１１５と、金属板１１４とは、例えば接着剤等を用いて固定される。
【００５０】
端子１１１乃至１１３は、支持部材１１６のレーザ光が出射される方向とは反対側（＋Ｘ）から、＋Ｘ方向に向かって突出している。端子１１１、１１３には夫々、例えば、第１レーザダイオード１１Ａのアノード、第２レーザダイオード１１Ｂのアノードが接続されている。端子１１２には、例えば、第１レーザダイオード１１Ａのカソード、第２レーザダイオード１１Ｂのカソードが共通に接続されている。
【００５１】
＝＝＝回路基板、ＦＰＣ＝＝＝
以下、図８乃至図１０を参照して、本実施形態における回路基板、ＦＰＣについて説明する。図８は、本実施形態における、回路基板が固定された状態のハウジングを示す斜視図である。尚、光ディスク５を回転させるためのスピンドルモータの回転軸５０は、説明の便宜上、一点鎖線で示されている。図９は、本実施形態における、光ディスク側から見た状態の回路基板とＦＰＣとを示す図である。図１０は、本実施形態における、光ディスク側とは反対側から見た状態の回路基板とＦＰＣとを示す図である。
【００５２】
回路基板６は、光ピックアップ装置１００を制御するための、例えばリジッド基板である。回路基板６は、ハウジング２に対してハウジング２の上側（＋Ｚ）から取り付けられる。回路基板６は、ハウジング２に設けられた窪み２３１、２３２を覆うように、タンジェンシャル方向（Ｙ軸）において延びた形状を呈する。ハウジング２の壁体２１５、２２５（図５）の間に回路基板６が配設されるように、タンジェンシャル方向における回路基板６の長さは、タンジェンシャル方向における壁体２１５と壁体２２５との間の距離よりも短く設定されている。
【００５３】
回路基板６には、コネクタ６６、孔６５１乃至６５３、６５５、６５、端子６２１乃至６２３、ドライバＩＣ６１が設けられる。
【００５４】
孔６５１乃至６５３（図１０）は、ハウジング２に対する回路基板６の位置決めを行うのに用いられる。孔６５１乃至６５３は夫々、ハウジング２に対して回路基板６が固定されるときに、ハウジング２の突起２５１乃至２５３と対向する位置に設けられる。
【００５５】
孔６５は、ハウジング２に対して回路基板６が固定されるときに、雌ネジ２５と対向する位置に設けられる。
【００５６】
孔６５５は、ハウジング２に対して回路基板６が固定されるときに、レーザ光源１１の支持部材１１６と回路基板６とが干渉するのを防止するために設けられる。孔６５５は、ハウジング２の窪み２３１の一部と対向する位置に設けられる。孔６５５は、ハウジング２に対して固定されたレーザ光源１１の支持部材１１６と対向する位置に設けられる。孔６５５の大きさは、孔６５５内に支持部材１１６が配設されるような大きさに設定される。
【００５７】
端子６２１乃至６２３は、ドライバＩＣ６１から出力されるレーザ光源１１からレーザ光を出射するための駆動電流が供給される端子である。端子６２１乃至６２３は夫々、レーザ光源１１の端子１１１乃至１１３と電気的に接続される。端子６２１乃至６２３は、回路基板６におけるハウジング２と対向する側（−Ｚ）の面に設けられる。端子６２１乃至６２３は夫々、ハウジング２に固定されたレーザ光源１１の端子１１１乃至１１３と対向する位置に設けられる。
【００５８】
ドライバＩＣ６１は、レーザ光源１１を制御するための集積回路である。ドライバＩＣ６１は、回路基板６におけるハウジング２と対向する側の面に半田付けにより固定されており、回路基板６がハウジング２に固定されたときに、ハウジング２の窪み２３２内で第２放熱板４２と接触する位置に、配置される。更に、ドライバＩＣ６１は、コネクタ６６を介して光ピックアップ装置１００を搭載する光ディスク装置の光ピックアップ装置１００の制御回路が形成される回路基板により構成される制御装置と電気的に接続されるように、回路基板６の配線に対して、例えば半田等で電気的に接続される。尚、当該回路基板６の配線は、コネクタ６６を介して光ピックアップ装置１００の制御装置と電気的に接続されるように、コネクタ６６の端子と電気的に接続されているものとする。
【００５９】
コネクタ６６は、光ピックアップ装置１００と光ピックアップ装置１００を制御する制御装置（不図示）（以下、「光ピックアップ装置１００の制御装置」と称する）とを電気的に接続するのに用いられる。コネクタ６６は、トラッキング方向（Ｘ軸）において回転軸５０から遠い側（＋Ｘ）の端部６Ａの上側（＋Ｚ）側の面に設けられる。尚、コネクタ６６については、後述する。
【００６０】
ＦＰＣ７（図４）には、フロントモニタダイオード１９、光検出器１３が半田付けにより固定され、フロントモニタダイオード１９、光検出器１３と光ピックアップ装置１００の制御装置とが電気的に接続される。ＦＰＣ７は、回路基板６の一方側（−Ｙ）の端部に半田付けで固定される。これによりＦＰＣ７の配線が回路基板６の配線に対して電気的に接続され、フロントモニタダイオード１９、光検出器１３がコネクタ６６を介して光ピックアップ装置１００の制御装置と電気的に接続される。尚、当該回路基板６の配線は、コネクタ６６を介して光ピックアップ装置１００の制御装置と電気的に接続されるように、コネクタ６６の端子と電気的に接続されているものとする。
【００６１】
ＦＰＣ７００には、アクチュエータ３が電気的に接続される。アクチュエータ３と光ピックアップ装置１００の制御装置とが電気的に接続されるように、アクチュエータ３は、ＦＰＣ７００の配線に対して例えば半田等を用いて電気的に接続される。ＦＰＣ７００は、回路基板６の他方側（＋Ｙ）の端部に半田付けで固定され、アクチュエータ３がコネクタ６６を介して光ピックアップ装置１００の制御装置と電気的に接続されるように、ＦＰＣ７００の配線は、回路基板６の配線に対して電気的に接続される。尚、当該回路基板６の配線は、コネクタ６６を介して光ピックアップ装置１００の制御装置と電気的に接続されるように、コネクタ６６の端子と電気的に接続されているものとする。
【００６２】
＝＝＝カバー＝＝＝
以下、図１１を参照して、本実施形態におけるカバーについて説明する。図１１は、本実施形態におけるカバーを示す斜視図である。
【００６３】
カバー８は、ハウジング２を上側（＋Ｚ）から覆う金属製の蓋である。カバー８は、例えば、１枚の金属板を折り曲げ加工して成型される。カバー８は、取付片８１乃至８４、窪み８６０、孔８７０、接触片８６１、８６２、８７１、８７２、第１の切り欠き８５１、第２の切り欠き８５２を有する。
【００６４】
取付片８１乃至８４は、ハウジング２に対してカバー８を固定するための部材である。取付片８１乃至８４は夫々、ハウジング２の爪２６１、孔２６５、端部２３の爪、雌ネジ２５と対向する位置に設けられる。取付片８１乃至８３は、カバー８から光ディスク５（図３）側とは反対側（−Ｚ）に向かって、折り曲げられた形状を呈する。取付片８４は、カバー８から光ディスク５側とは反対側に向かって、折り曲げられた後、ハウジング２の雌ネジ２５が設けられている面と平行となるように＋Ｘ側に向かって折り曲げられた形状を呈する。取付片８１には、孔８１Ａが設けられる。孔８１Ａには、爪２６１に対して取付片８１が固定されるように、爪２６１が挿通される。そして、取付片８１と爪２６１とが係合されることとなる。取付片８２は、孔２６５に挿入されてハウジング２に固定されるように、例えば略コ字形状を呈する。孔２６５内に取付片８２を挿入した際に、取付片８２と孔２６５内の係合部とが係合されることとなる。取付片８３には、孔８３Ａが設けられる。孔８３Ａには、端部２３の爪に対して取付片８３が固定されるように、端部２３の爪が挿通される。そして、取付片８３と端部２３の爪とが係合されることとなる。取付片８４には、雄ネジ１０１が挿通される孔８４Ａが設けられる。取付片８４は、雄ネジ１０１によって、ハウジング２の雌ネジ２５が形成さている一部に対して固定されることとなる。
【００６５】
孔８７０は、ハウジング２に対してカバー８が固定された際に、対物レンズ６１１（図４）が露出するように、レンズホルダ３００と対向する位置に形成される。
【００６６】
窪み８６０は、カバー８の上側の面における、第２の切り欠き８５２、孔８６３が設けられている位置に形成される。尚、孔８６３については、後述する。窪み８６０内の底には、第２の切り欠き８５２の一部及び孔８６３を上側（＋Ｚ）側から塞ぐための、シール８８１（図１８）が貼付される。窪み８６０は、シール８８１の厚み分だけ窪んでいるものとする。
【００６７】
接触片８６１、８６２は、ハウジング２に対してカバー８が固定された際に、回路基板６に塗布された放熱ゲル５５２と対向する位置に設けられる。尚、放熱ゲル５５２については、後述する。接触片８６１、８６２は、接触片８６１、８６２の先端が、放熱ゲル５５２と接触するように、下側に向かって折り曲げられた形状を呈する。接触片８６１、８６２は、接触片８６１、８６２の先端が、タンジェンシャル方向において互いに対向するように、折り曲げられる。よって、接触片８６１、８６２が設けられるカバー８の一部には、孔８６３が形成されることなる。
【００６８】
第１の切り欠き８５１は、ハウジング２に対してカバー８が固定された際にコネクタ６６が露出するように、カバー８の＋Ｘ側の端部に設けられる。
【００６９】
第２の切り欠き８５２は、コネクタ６６のレバー６６２を操作できるように、第１の切り欠き８５１によって抉られたカバー８の＋Ｘ側の端部８９３に設けられる。
【００７０】
接触片８７１、８７２は、カバー８の一部を折り曲げて形成される一対の片である。接触片８７１、８７２は夫々、ハウジング２に対してカバー８が固定された際に、アクチュエータ３のフレームの一部３５１、３５２と対向する位置に設けられる。つまり、接触片８７１、８７２は、トラッキング方向に沿って設けられる。接触片８７１、８７２は、接触片８７１、８７２の先端夫々が、アクチュエータ３の一部３５１、３５２と接触するように、下側（−Ｚ）側に向かって折り曲げられる。
【００７１】
＝＝＝孔＝＝＝
以下、図５、図１２乃至図１４を参照して、本実施形態における回折格子が挿入される孔について説明する。図１２は、本実施形態における、光ディスクと対向する側とは反対側から見た状態の、光学素子が固定されたハウジングを示す斜視図である。図１３は、本実施形態における、ハウジングの一部を示す斜視図である。図１４は、本実施形態におけるハウジングと回折格子とを示す断面図である。尚、図１４では、図１２のＣ１―Ｃ２断面から＋Ｘ方向へ向かって見た状態のハウジングと回折格子とが示されている。
【００７２】
孔２８（図１４）は、ハウジング２に対して回折格子１２を固定するためにハウジング２に設けられている。ここで、回折格子１２は、例えば、ハウジング２に対して直接位置決めされるように、例えば略矩形柱形状を呈している。尚、ハウジング２に対する回折格子１２の固定については、後述する。孔２８には、当接片２８０、突片２８２、２８３（規制片）、入口２８９Ａ（図１３）、出口２８９ｂが設けられている。
【００７３】
入口２８９Ａは、レーザ光源１１から出射されたレーザ光が孔２８内に入射されるように、孔２８におけるレーザ光源１１側（＋Ｘ）に設けられている孔である。
【００７４】
出口２８９ｂは、開口２８６（一方の開口）から孔２８内に挿入された回折格子１２で、レーザ光源１１からのレーザ光を回折して得られる０次光、＋１次回折光、−１次回折光が出射される溝である。出口２８９ｂは、孔２８におけるビームスプリッタ１５側（−Ｘ）に設けられている。
【００７５】
当接片２８０は、孔２８内に挿入された回折格子１２が所定位置で止まるように、回折格子１２と当接する片である。尚、所定位置とは、回折格子１２に対してレーザ光が照射される位置であるものとする。当接片２８０は、孔２８の一部を光ディスク５と対向する側（＋Ｚ）から塞ぐように、孔２８の内部に設けられる。当接片２８０は、タンジェンシャル方向における孔２８の略中央に設けられている。よって、タンジェンシャル方向における当接片２８０の両側には、孔２８の内部に続く開口２８７、２８８（他方の開口）が形成されることとなる。従って、−Ｚ側から孔２８の内部に続いている開口２８６と、開口２８７と、開口２８８とは互いに連通されていることとなる。
【００７６】
ここで、回折格子１２は、当接片２８０に当接するように、開口２８６から孔２８の内部に挿入される。尚、トラッキング方向（Ｘ軸）における孔２８の幅Ｄ３（図１３）は、孔２８内に挿入された回折格子１２の厚みよりわずかに広く設定され、回折格子１２を孔２８内の一方の壁面、例えば孔２８の内部における対向面２８４Ａと対向している対向面に当接させた状態で回動可能とする幅に設定されているものとする。当接片２８０における、回折格子１２が当接する面（−Ｚ）には、突起２８１が設けられている。突起２８１は、開口２８６に向かって突出している。突起２８１は、例えば、回折格子１２における当接片２８０と対向する側（＋Ｚ）の面と点で接するように、ドーム状に突出した形状を呈する。尚、突起２８１は、例えば先端が尖った錐形状であることとしてもよい。
【００７７】
突片２８２、２８３は、回折格子１２の回動範囲を規制する片である。更に、突片２８２、２８３は、ハウジング２に対して回折格子１２を固定するための片でもある。突片２８２、２８３は夫々、孔２８の内部における、タンジェンシャル方向において互いに対向する対向面２８４、２８５に設けられる。突片２８２、２８３は、突片２８２の先端と突片２８３の先端とが互いに近づくように、突出した形状を呈する。つまり、突片２８２、２８３は、孔２８の内部に挿入された回折格子１２に向かって延びていることとなる。タンジェンシャル方向における突片２８２、２８３の長さは、タンジェンシャル方向における突片２８２の先端と突片２８３の先端との間の距離Ｄ２が、孔２８内に配設された回折格子１２のタンジェンシャル方向の長さＤ１よりも長くなるように設定される。尚、突片２８２、２８３に対する回折格子１２の固定については後述する。よって、突片２８２の先端と回折格子１２における突片２８２側の端部との間、及び、突片２８３の先端と回折格子１２における突片２８３側の端部との間には、回折格子１２をＥ１又はＥ２方向に回動させるための隙間が形成されることとなる。
【００７８】
例えば、突起２８１を中心に回折格子１２がＥ１方向に回動されたとき、回折格子１２は突片２８２の先端に当接してＥ１方向の回動が規制されることとなる。又、例えば、突起２８１を中心に回折格子１２がＥ２方向に回動されたとき、回折格子１２は突片２８３の先端に当接してＥ２方向の回動が規制されることとなる。つまり、回折格子１２の回動範囲は、突片２８２、２８３によって規制されることとなる。例えば、当該回動範囲は、例えば、後述するように、角度θが所定角度となるように回折格子１２を回動できるような所定範囲に設定されているものとする。つまり、回動範囲が所定範囲となるように、回折格子１２をＥ１又はＥ２方向に回動させるための隙間が形成されることとする。尚、回折格子１２の回動については、後述する。
【００７９】
＝＝＝ハウジングに対する回折格子の固定＝＝＝
以下、図１２乃至図１５を参照して、本実施形態におけるハウジングに対する回折格子の固定について説明する。図１５は、本実施形態における光ディスクに照射されているレーザ光と光ディスクの溝とを示す図である。
【００８０】
回折格子１２は、孔２８内に配設された後、角度調整が行われる。尚、角度調整については、後述する。その後、ハウジング２に対して例えば接着剤等を用いて接着される。
【００８１】
回折格子１２は、開口２８６から孔２８に挿入される。回折格子１２は、回折格子１２の当接片２８０側（＋Ｚ）の面が当接片２８０の突起２８１と当接するように挿入される。回折格子１２における突起２８１と当接している＋Ｚ側の辺が回折格子の一辺に相当する。このとき、回折格子１２は、レーザ光の光軸方向（Ｘ軸）において、回折格子１２と対向するハウジング２の両対向面によって挟持されることとなる。回折格子１２は、孔２８の内部における対向面２８４Ａ（図１３）、及び、孔２８の内部のレーザ光の光軸方向（Ｘ軸）において対向面２８４Ａと対向している対向面との間に挟まれることとなる。尚、対向面２８４Ａ、対向面２８４Ａと対向している対向面は、回折格子１２の回動方向と交差する方向において、回折格子と対向している。そして、回折格子１２は、対向面２８４Ａと、対向面２８４Ａと対向している対向面との間に回折格子１２を回動可能に配置されて、例えば、回折格子１２の自重によってハウジング２の所定位置から脱落しない状態となる。尚、回折格子１２は、突起２８１を軸にＥ１方向又はＥ２方向に回動可能に配置されているものとする。
【００８２】
回折格子１２は、孔２８の内部における対向面２８４Ａと対向している対向面に当接させた状態で突起２８１を中心に、Ｅ１方向又はＥ２方向に回動されて、角度調整が行われる。回折格子１２は、光ディスク５における＋１次回折光の集光スポット１３０（図１５）（１次回折光スポット）、０次光の集光スポット１３１（０次光スポット）、−１次回折光の集光スポット１３２（１次回折光スポット）を結ぶ直線５０２と、光ディスク５に記録される情報に基づくピットが形成されている溝５２（光ディスクの信号トラック）に沿った直線５０１との角度θに基づいて、Ｅ１方向又はＥ２方向に回動される。尚、直線５０２が、０次光と１次回折光とが光ディスク５の信号記録面に照射されたときの０次光スポットと１次回折光スポットとを結ぶ線に相当する。角度θが、０次光と１次回折光とが光ディスク５の信号記録面に照射されたときの０次光スポットと１次回折光スポットとを結ぶ線と、０次光スポットが照射される光ディスク５の信号トラックとのなす角度に相当する。尚、集光スポット１３０、１３１、１３２は夫々、光ディスク５におけるレーザ光の＋１次光、０次光、−１次光が照射される位置であるものとする。
【００８３】
ここで、回折格子１２は、突起２８１を中心に回折格子１２がＥ１又はＥ２方向に回動されたときに、角度θが調整されるように形成されているものとする。例えば、突起２８１を中心に回折格子１２がＥ１方向に回動された際、集光スポット１３１の位置は変動せずに、集光スポット１３０、１３２が夫々同じ距離だけＦ１、Ｆ２方向に移動するように、回折格子１２が形成されているものとする。つまり、集光スポット１３０乃至１３２の位置が図１５に示されている位置であるときに、回折格子１２がＥ１方向に回動された場合、角度θが大きくなることとなる。一方、例えば、突起２８１を中心に回折格子１２がＥ２方向に回動された際、集光スポット１３１の位置は変動せずに、集光スポット１３０、１３２が夫々同じ距離だけＧ１、Ｇ２方向に移動するように、回折格子１２が形成されているものとする。つまり、集光スポット１３０乃至１３２の位置が図１５に示されている位置であるときに、回折格子１２がＥ２方向に回動された場合、角度θが小さくなることとなる。
【００８４】
回折格子１２は、例えば、角度θが所定角度となるように、Ｅ１方向又はＥ２方向に回動されることとなる。尚、所定角度は、例えば、光ディスク５の信号記録面に対して信号の読み取り又は書き込み動作を正常に行えるような角度である。所定角度は、例えば、光ピックアップ装置１００の設計仕様に基づいて設定される。例えば、光ピックアップ装置１００が溝５２に記憶されている情報を読み取る際に、集光スポット１３０乃至１３２が全て溝５２上となるのが望ましい場合、所定角度は略０度となる。又、例えば、光ピックアップ装置１００が溝５２に記憶されている情報を読み取る際に、０次光の集光スポット１３１が溝５２上となり、＋１次光の集光スポット１３０が溝５２、５３の間となり、−１次光の集光スポットが溝５１、５２の間となるのが望ましい場合、所定角度は、０度より大きい例えばθ１となる。
【００８５】
例えば、角度θを所定角度とするために、集光スポット１３０、１３２を夫々Ｆ１、Ｆ２方向に移動させる場合、回折格子１２は、突起２８１を中心にＥ１方向に回動されることとなる。又、例えば、角度θを所定角度とするために、集光スポット１３０、１３２を夫々Ｇ１、Ｇ２方向に移動させる場合、回折格子１２は、突起２８１を中心にＥ２方向に回動されることとなる。つまり、回折格子１２は、角度θが所定角度となるような方向に回動されることとなる。
【００８６】
尚、例えば、回折格子１２の角度調整のとき、回折格子１２からのレーザ光を受光して、当該受光したレーザ光に基づいて角度θを計測する計測装置が用いられることとしてもよい。例えば、光ピックアップ装置１００を組み立てる作業員によって、当該計測装置の計測結果に基づいて、角度θが所定角度となるように、回折格子１２の角度調整が行われることとしてもよい。
【００８７】
回折格子１２の角度調整が行われた後、回折格子１２は、ハウジング２に対して接着される。例えば、突片２８２、２８３に対して回折格子１２が接着されるように、開口２８７、２８８から接着剤が流し込まれる。当該接着剤によって、突片２８２、２８３に対して回折格子１２が接着（固定）されることとなる。そして、当該接着剤によって、回折格子１２は、突起２８１に対して固定されることとなる。
【００８８】
＝＝＝光ピックアップ装置の組み立て＝＝＝
以下、図４、図６、図８、図１２、図１６、図１７を参照して、本実施形態における光ピックアップ装置の組み立てについて説明する。図１６は、本実施形態における、第１及び第２放熱板と回路基板とを示す斜視図である。図１７は、本実施形態における、ケーブルが取り付けられた状態の光ピックアップ装置を示す斜視図である。
【００８９】
光ピックアップ装置１００の光学素子が、ハウジング２に載置される（図６）。光ピックアップ装置１００の光学素子は、例えば、接着剤等を用いてハウジング２に固定される。レーザ光源１１は、溝２５５乃至２５８に塗布される接着剤によって、ハウジング２に固定される。回折格子１２は、前述の通り、孔２８に挿入されて角度調整された後、ハウジング２に対して接着される。
【００９０】
第１放熱板４１、第２放熱板４２が、ハウジング２に対して位置決めされる。第１放熱板４１は、孔４１１に対して爪２６２が挿通されて、爪２６２と第１放熱板４１とが係合することによって、ハウジング２に対して固定される。
【００９１】
回路基板６（図８）が、ハウジング２に対して位置決めされる。更に、回路基板６が、ハウジング２の爪２６３、２６４によって、ハウジング２に対して固定（仮止め）される。ここで、回路基板６には孔６５５が形成されているので、回路基板６とレーザ光源１１の支持部材１１６（図７）とが干渉せずに、ハウジング２に対して回路基板６が固定されることとなる。この後、ＦＰＣ７、７００が、例えば半田等を用いて回路基板６に対して固定される。ハウジング２（図１２）の裏側（−Ｚ）から孔２５Ａを介して、レーザ光源１１の端子１１１乃至１１３が夫々、回路基板６の端子６２１乃至６２３と、例えば半田等を用いて電気的に接続される。更に、端子１１１乃至１１３（図１６）は、例えば、放熱ゲル５５３を介して第１放熱板４１に接続される。尚、放熱ゲル５５３は、端子１１１乃至１１３と第１放熱板４１とが電気的に接続されないような絶縁性のゲルである。更に、放熱ゲル５５３は、レーザ光源１１で発生する熱が放熱ゲル５５３を介して第１放熱板４１に伝達されるような、熱伝導率の比較的高いゲルである。更に、回路基板６の上側の面（図８）には、放熱ゲル５５３と同様な放熱ゲル５５１、５５２が塗布される。放熱ゲル５５１は、例えば、ハウジング２に対してカバー８が固定されたときにカバー８と接触するように塗布される。放熱ゲル５５２は、ハウジング２に対してカバー８が固定されたときに接触片８６１、８６２（図１１）の先端が接触するように、孔８６３と対向する位置に塗布される。
【００９２】
アクチュエータ３が、ハウジング２に載置される。  
カバー８が、ハウジング２に対して固定される。例えば、ハウジング２に対して、カバー８の取付片８１乃至８３が係合される。その後、雄ネジ１０１が、カバー８の孔８４Ａ、回路基板６の孔６５、第２放熱板４２の孔４２２を介してハウジング２の雌ネジ２５にねじ入れられる。そして、ハウジング２に対して、光ピックアップ装置１００の光学素子、アクチュエータ３、第１放熱板４１、第２放熱板４２、回路基板６、ＦＰＣ７、７００、カバー８が固定される。
【００９３】
カバー８の孔８６３（図１１）が塞がれるように、シール８８１（図１７）がカバー８の上側（＋Ｚ）の面に、例えば接着剤等で貼付される。そして、光ピックアップ装置１００が組み立てられることとなる。
【００９４】
前述したように、回折格子１２は、レーザ光源１１から出射されたレーザ光を回折する。ハウジング２は、回折格子１２を設置するための孔２８を有している。孔２８には、入口２８９Ａ、出口２８９ｂ、突起２８１が設けられている。レーザ光が入口２８９Ａから孔２８の内部に入射する。孔２８の開口２８６から挿入された回折格子１２で、レーザ光を回折して得られる０次光、＋１次回折光、−１次回折光が出口２８６ｂから出射される。突起２８１は、０次光と＋１次回折光と−１次回折光とが光ディスク５の信号記録面に照射されたときの集光スポット１３０乃至１３２を結ぶ直線５０２と、集光スポット１３１が照射される光ディスク５の溝５２と、のなす角度θが所定角度となるように、回折格子１２の＋Ｚ側の一辺と当接して回折格子１２をＥ１方向又はＥ２方向に回動可能とする。回折格子１２は、孔２８の開口２８７、２８８からの接着剤で、突起２８０に対して固定される。よって、回折格子１２は、例えば、回折格子１２を回動可能に支持するためのホルダ等を用いることなく、ハウジング２に対して直接位置決めされることとなる。従って、回折格子１２の位置決めの際に当該ホルダを設ける必要がないので、光ピックアップ装置１００の部品点数を減らしたり、光ピックアップ装置１００の製造工程を減らしたりして、光ピックアップ装置１００を低コストで提供することができる。又、回折格子１２は、ハウジング２に対して直接位置決めされることとなるので、精度良く位置決めを行うことができる。従って、回折格子１２の位置決め精度を向上させて、光ディスク５に対する信号の再生又は記録動作を確実に行えるような、良好に動作する光ピックアップ装置１００を提供することができる。
【００９５】
又、孔２８には、回折格子１２の回動範囲を規制するように回折格子１２に向かって延びる突片２８２、２８３が更に設けられている。回折格子１２の回動範囲が突片２８２、２８３によって規制されているので、角度θを所定角度とするときに、当該規制されている回動範囲内で回折格子１２を回動させるのみで、角度θを所定角度とすることができる。よって、ハウジング２に対して回折格子１２を比較的容易かつ確実に位置決めして設置することができる。従って、良好に動作するとともに組み立てが容易な光ピックアップ装置１００を提供することができる。
【００９６】
又、回折格子１２は、突片２８２、２８３に対して開口２８７、２８８からの接着剤によって固定される。従って、回折格子１２をハウジング２に対して確実に固定して、回折格子１２の位置決めを確実に行うことができる。従って、良好に動作する光ピックアップ装置１００を提供することができる。又、例えば、開口２８７、２８８から孔２８内に流入した接着剤が開口２８６側に流出するのが、突片２８２、２８３によって防止されることとなる。よって、例えば、回折格子１２への当該流出した接着剤の付着に基づいて、光ピックアップ装置１００の正常な動作が妨げられるのを防止することができる。よって、光ピックアップ装置１００を更に良好に動作させることができる。
【００９７】
又、回折格子１２の回動方向と交差する方向（Ｘ軸）において回折格子１２と対向している対向面２８４Ａ、対向面２８４Ａと対向している対向面は、回折格子１２を回動可能に挟持している。よって、例えば、ハウジング２に対して回折格子１２を接着剤等で固定することなく、回折格子１２が、孔２８の内部で保持されることとなる。よって、ハウジング２に対する回折格子１２の位置決めを確実かつ容易に行えることとなる。従って、良好に動作するとともに組み立てが容易な光ピックアップ装置１００を提供することができる。
【００９８】
尚、本実施形態は、本発明の理解を容易にするためのものであり、本発明を限定して解釈するためのものではない。本発明は、その趣旨を逸脱することなく、変更、改良され得るとともに、本発明にはその等価物も含まれる。
【符号の説明】
【００９９】
２                    ハウジング
３                    アクチュエータ
５                    光ディスク
６                    回路基板
７                    ＦＰＣ
８                    カバー
１１                  レーザ光源
１２                  回折格子
２８                  孔
５０                  回転軸
１００                光ピックアップ装置
１３０、１３１、１３２  集光スポット
２８６、２８７、２８８  開口
２８９Ａ              入口
２８９ｂ              出口
【図１】
2014021998.tif 000003
【図２】
2014021998.tif 000004
【図３】
2014021998.tif 000005
【図４】
2014021998.tif 000006
【図５】
2014021998.tif 000007
【図６】
2014021998.tif 000008
【図７】
2014021998.tif 000009
【図８】
2014021998.tif 000010
【図９】
2014021998.tif 000011
【図１０】
2014021998.tif 000012
【図１１】
2014021998.tif 000013
【図１２】
2014021998.tif 000014
【図１３】
2014021998.tif 000015
【図１４】
2014021998.tif 000016
【図１５】
2014021998.tif 000017
【図１６】
2014021998.tif 000018
【図１７】
2014021998.tif 000019